(57)【特許請求の範囲】
【請求項１】
不透光性の本体の下面側に発光部が取り付けられ前記本体の後部に取り付け部を備える照明器具において、
前記取り付け部は、電柱等の支柱に取り付けバンドによって取り付ける第１取り付け部と、前記支柱等の支持体から横へ延びる円筒状または円柱状のアームの先端部、または前記支柱に代わり先端部が横へ延びる円筒状または円柱状のポールの前記先端部が挿入される第２取り付け部を備え、
前記第１取り付け部と前記第２取り付け部は、前記本体と一体成型された
ことを特徴とする照明器具。
【請求項２】
前記支柱、前記アームまたは前記ポールに対する前記照明器具の取り付け角度は、前記第１取り付け部による取り付け角度と、前記第２取り付け部による取り付け角度が同等である、
ことを特徴とする請求項１に記載の照明器具。
【発明の詳細な説明】
【技術分野】
【０００１】
本発明は、光源の発光によって被照明部を照明する照明器具に関し、特に照明器具の取り付け部の構成に関する。
【背景技術】
【０００２】
光源であるＬＥＤの発光によって道路面等を照明する照明器具の取り付け方式の一つとして、照明器具の下方側からのポールと、ＬＥＤ照明器具の後方側からのアームのいずれかに取り付け可能なものがある（特許文献１参照）。
また、他の取り付け方式として、電柱やポールの壁面にベルトで取り付けるものがある（特許文献２参照）。
【先行技術文献】
【特許文献】
【０００３】
【特許文献１】特開２０１４-０６７５８６号公報
【特許文献２】特開２０１４-１６５１４０号公報
【発明の概要】
【発明が解決しようとする課題】
【０００４】
特許文献１の形態では、下方側からのポールと後方側からのアームが挿入される特別なアダプタをＬＥＤ照明器具の後部に設け、このアダプタによってポールまたはアームにネジ固定する構成となっているおり、特別なアダプタを必要とする。
【０００５】
特許文献２の形態では、電柱やポールの壁面にベルトで取り付けるために、ＬＥＤ照明器具の後部から下方へ屈曲するアームが、ボディとカバーで挟み込むように設けられ、このアームにまたはこのアームに取り付ける取り付け金具に、ベルトを通して支柱の側面に取り付けるため、アームがボディとは別部品で形成される形態であり、部品が多く組み立て工数も多い。更に、特許文献１のような後方側からのアームが挿入される形態の取り付けはできない。
【０００６】
主として生活道路の道路用照明器具の取り付けとして、電柱のような支柱に取り付けバンドで取り付けるか、円筒状または円柱状のポールの先端部を挿入して取り付ける方式が多い。
本発明は、この点に鑑み、特別なアダプタや取り付け金具を追加することなく、電柱のような支柱の側面に取り付けバンドで取り付ける方式と、円筒状または円柱状のポールの先端部を挿入して取り付ける方式のいずれにも対応できる照明器具を提供する。
【課題を解決するための手段】
【０００７】
第１の本発明の照明器具は、不透光性の本体の下面側に発光部が取り付けられ前記本体の後部に取り付け部を備える照明器具において、
前記取り付け部は、電柱等の支柱に取り付けバンドによって取り付ける第１取り付け部と、前記支柱等の支持体から横へ延びる円筒状または円柱状のアームの先端部、または前記支柱に代わり先端部が横へ延びる円筒状または円柱状のポールの前記先端部が挿入される第２取り付け部を備える、
ことを特徴とする。
【０００８】
第２の本発明の照明器具は、上記第１において、
前記支柱、前記アームまたは前記ポールに対する前記照明器具の取り付け角度は、前記第１取り付け部による取り付け角度と、前記第２取り付け部による取り付け角度が同等である、
ことを特徴とする。
【０００９】
第３の本発明の照明器具は、上記第１または第２において、
前記第１取り付け部と前記第２取り付け部は、前記本体と一体成型されたことを特徴とする。
【００１０】
第４の本発明の照明器具は、上記第１乃至第３のいずれかにおいて、
前記第１取り付け部は前記第２取り付け部の左右両側に配置された板状の左右取り付け板部で構成され、前記左右取り付け板部と前記第２取り付け部には、前記取り付けバンドが挿通係止する縦方向に長い孔を有する、
ことを特徴とする。
【００１１】
第５の本発明の照明器具は、上記第１乃至第４のいずれかにおいて、
前記第２取り付け部は、前記本体の後壁から後方へ延び後側開口の中空円筒形状をなし、
前記第２取り付け部に対応する前記本体の後壁には貫通孔が形成され、
前記後側開口から前記中空円筒形状内を経て前記貫通孔を通り前記照明器具へ電力供給する外部電源ラインの配線部が形成される、
ことを特徴とする。
【００１２】
第６の本発明の照明器具は、上記第１乃至第５のいずれかにおいて、
前記第２取り付け部は、後端面が前記支柱の周面に沿う曲面形状をなす、
ことを特徴とする。
【００１３】
第７の本発明の照明器具は、上記第１乃至第６のいずれかにおいて、
前記発光部は、複数のＬＥＤ素子を下面に配置したＬＥＤ基板を有し、
前記ＬＥＤ基板は前記本体に伝熱的に取り付けられ、
前記外部電源ラインに接続され前記ＬＥＤ素子への電力供給と点灯制御用制御部が、前記ＬＥＤ基板よりも後方位置の前記本体内の後部に配置された、
ことを特徴とする。
【発明の効果】
【００１４】
上記第１の本発明の照明器具は、後部に設けた取り付け部は、電柱等の支柱に取り付けベルトによって取り付ける第１取り付け部と、支柱等の支持体から横へ延びる円筒状または円柱状のアームの先端部、または支柱に代わり先端部が横へ延びる円筒状または円柱状のポールの先端部が挿入される第２取り付け部を備える。
このため、特別なアダプタや取り付け金具を追加することなく、電柱のような支柱に取り付けバンドで取り付ける方式と、支柱等の支持体から横へ延びるアームの先端部またはポールの先端部を挿入して取り付ける方式のいずれにも対応できるものとなり、従来２機種必要であったものが１機種で兼用できるものとなり、大幅なコストダウン効果が得られる。
【００１５】
上記第２の本発明の照明器具は、上記第１において、支柱、支柱等の支持体またはポールに対する照明器具の取り付け角度は、第１取り付け部による取り付け角度と、第２取り付け部による取り付け角度が同等であるため、いずれの取り付けにおいても、照明装置によって路面に形成される配光状態を所定の状態に維持できるものとなる。
【００１６】
上記第３の本発明の照明器具は、第１取り付け部と第２取り付け部は、本体と一体成型されるため、各取り付け部を形成する部品を本体に取り付ける必要がなく、部品点数が少なく、組み立て工数も少なく、本体と一体成型の取り付け部によって取り付け強度の確保ができる。
【００１７】
第４の本発明の照明器具は、第１取り付け部は第２取り付け部の左右両側に配置された板状の左右取り付け板部で構成され、左右取り付け板部と第２取り付け部には、取り付けバンドが挿通係止する縦方向に長い孔を有する。このため、この孔に挿通した取り付けバンドによって照明器具を支柱へ取り付けることができ、照明器具に対する取り付けバンドの係止が安定し、照明器具の取り付けが安定する。
【００１８】
第５の本発明の照明器具は、第２取り付け部は、本体の後壁から後方斜め下方向へ延び後側開口の中空円筒形状をなし、第２取り付け部に対応する本体の後壁には貫通孔が形成され、後側開口から中空円筒形状内を経て貫通孔を通り照明器具へ電力供給する外部電源ラインの配線部となる。このため、第１取り付け部による取り付けと、第２取り付け部による取り付けのいずれにおいても、電源ラインの配線保護ができることとなり、安全である。
【００１９】
第６の本発明の照明器具は、第２取り付け部の後端面が支柱に沿うような曲面形状をなすため、第２取り付け部の後端を支柱に当接した状態が安定し、取り付けバンドによる照明器具の取り付けが安定する。
【００２０】
第７の本発明の照明器具は、発光部は複数のＬＥＤ素子を下面に配置したＬＥＤ基板を有し、ＬＥＤ基板は本体に伝熱的に取り付けられ、制御部はＬＥＤ基板よりも後方位置の本体内の後部に配置されるため、外部電源ラインと制御部との接続が、上記外部電源ラインの配線部の形成と相俟って、配線を短く、且つ安全な配線は得られるものとなる。
【図面の簡単な説明】
【００２１】
【図１】本発明に係る照明器具の分解斜視図である。
【図２】本発明に係る照明器具の縦断側面図である。
【図３】本発明に係る照明器具の本体と透光性カバーを組み合わせた状態の説明図である。
【図４】本発明に係る照明器具の後部から見た図である。
【図５】本発明に係る照明器具を支柱に取り付けた状態の側面図である。
【図６】本発明に係る照明器具を支柱に取り付けた状態を上方から視た図である。
【図７】本発明に係る照明器具を支柱に取り付けた状態の下方から視た面である。
【図８】本発明に係る照明器具をポールに取り付ける状態を断面で示す説明図である。
【図９】本発明に係る照明器具をポールに取り付けた状態を断面で示す説明図である。
【図１０】本発明に係る照明器具をポールに取り付けた状態の側面図である。
【図１１】本発明に係る照明器具をポールに取り付けた状態を上方から視た図である。
【図１２】本発明に係る照明器具をポールに取り付けた状態の下方から視た面である。
【図１３】本発明に係る照明器具をポールに取り付けた状態の後方から視た面である。
【発明を実施するための形態】
【００２２】
本発明の照明器具１は、不透光性の本体２の下面側に発光部６が取り付けられ、本体２の後部に取り付け部１０を備える照明器具において、
前記取り付け部１０は、電柱等の支柱ＰＬに取り付けバンド３０によって取り付ける第１取り付け部１０１と、支柱ＰＬ等の支持体から横へ延びる円筒状または円柱状のアームの先端部、または支柱ＰＬに代わり先端部が横へ延びる円筒状または円柱状のポールＰＰの先端部が挿入される第２取り付け部１０２を備える構成である。
以下、本発明の実施形態に係わる照明器具１をＬＥＤ照明器具１として、図面を参照して具体的に説明する。
【００２３】
実施形態に係わる照明器具１は、下面に開口部２Ａを形成した内部空間４を有し、支柱等への取り付け部１０を後部に備える金属製の本体２と、開口部２Ａを塞ぐように本体２に組み合わされる透光性カバー３を備える前後方向に長い形態であり、開口部２Ａに沿って発光部６を配置している。発光部６は、ＬＥＤ素子７が放射する光を所定の配光にて出射する部分であり、ＬＥＤ基板５の下側面にＬＥＤ素子７が配置され、ＬＥＤ素子７を覆うようにＬＥＤ基板５に組み合わされＬＥＤ素子７が放射する光を所定の配光にて出射する配光ユニット８を備える。
【００２４】
図１乃至図３に示すように、本発明のＬＥＤ照明器具１は、下面の略全域が開口するように開口部２Ａを形成し内外両面に防錆効果のある熱伝導性塗装を施した金属製本体２と、この本体２の下面開口２Ａを塞ぐように下面開口２Ａの周縁部に組み合わされる合成樹脂製の透光性カバー３を備える。透光性カバー３は下方に膨らんだ形態をなし、上端周縁部には上方へ突出するフランジ３Ｆが形成されている。本体２の下面開口２Ａの周縁部２Ａ１は、透光性カバー３のフランジ３Ｆが嵌り込む溝２Ｍを有し、溝２Ｍの外側を巡るように下方へ突出するフランジ２Ｆを形成している。
【００２５】
溝２Ｍにフランジ３Ｆが嵌り込むように、透光性カバー３を本体２の下面開口２Ａに組み合わせた状態で、ネジＮＪで下面開口２Ａの周縁部２Ａ１に固定する。溝２Ｍとフランジ３Ｆのように嵌り合う凹凸構成によって、本体２と透光性カバー３との間が防水構造をなしている。なお、溝２Ｍの上底にパッキンを収容し、このパッキンがフランジ３Ｆによって圧縮される構成によって、更によい防水効果が得られる。
【００２６】
内部空間４のうちの前部空間４Ａにおいて、下面開口２Ａに沿ってＬＥＤ基板５が、後述のように本体２に伝熱的に取り付けられる。ＬＥＤ基板５は、複数のＬＥＤ素子（発光ダイオード）７を下面に実装し、ＬＥＤ素子７への電路が同じ下面にプリント配線として形成され、このプリント配線を絶縁被膜で覆っている。ＬＥＤ基板５の下面には、ＬＥＤ基板５と重ね合わせ状態に配光ユニット８が配置されている。配光ユニット８は透光性合成樹脂製であり、板状部８１に各ＬＥＤ素子７に対応するように、複数の配光部８２を一体形成しており、所定位置において板状部８１が、ＬＥＤ基板５を貫通して本体２に形成した取り付けボス１３Ｂに螺合するネジ９によって取り付けられる。これによって配光ユニット８がＬＥＤ基板５の下面に取り付けられる。配光部８２は、ＬＥＤ素子７ごとに所定配光の出射光を形成するために、各ＬＥＤ素子７に対応するレンズ形態である。図１に示すように、配光ユニット８は、前側配光ユニット８Ｐと後側配光ユニット８Ｑで構成しており、その配光部８２は、ＬＥＤ照明器具１の前後方向軸に対して左右方向に長い配光特性を有する配光部８３Ａで示している。
【００２７】
本体２は、アルミニウムを材料としてダイキャスト成形され、電柱等の支柱へ取り付ける取り付け部１０を後部に一体形成し、内部空間４のうちの大半を占める前部空間４Ａには、ＬＥＤ基板５の上面を支える前後方向に並行に延びる複数の熱伝導リブ１１と、熱伝導リブ１１にＬＥＤ基板５の上面が当接した状態でＬＥＤ基板５の４隅の孔５Ｐを通してネジ１２で取り付ける取り付けボス１３が、本体２に一体に形成されている。ＬＥＤ基板５は、取り付けボス１３に取り付けられた状態で、中央部が前後方向に並ぶボス１３Ｂで支えられると共に、前部空間４Ａにおける下面開口２Ａの殆どを塞ぐように、下面開口２Ａよりも若干空間４側へ入った位置（前部空間４Ａ側へ入った位置）において、下面開口２Ａに略並行に沿った状態である。本体２の内部空間４は、前部から後部に向けて次第に深くなるように（下面開口２Ａを基準とすれば次第に上方に高くなるように）形成している。ＬＥＤ基板５の上面には、電気的接続とならないように、下面のプリント配線とは接続しない状態に放熱用の熱伝導被膜が形成されており、この熱伝導被膜が熱伝導リブ１１に当接して、ＬＥＤ基板５の発熱をこの熱伝導被膜から熱伝導リブ１１を経て本体２の表面から放熱する仕組みである。
【００２８】
また、ＬＥＤ照明器具１は、ＬＥＤ素子７に点灯電力を供給する電源部と、ＬＥＤ素子７の点灯と消灯の制御を行う制御回路とを含む制御部１４が、前部空間４Ａの後方に位置する後部空間４Ｂに配置されている。このため、制御部１４は、ＬＥＤ基板５よりも後方配置となる。制御部１４は、電源部を構成する電気部品と、前記制御回路を構成する電気回路部品がプリント配線基板である制御基板１５に取り付けられ、制御基板１５が後部空間４Ｂに本体２から一体に突出する４本の取り付けボス１６にネジ１７で固定されている。
この状態で、制御基板１５は、下面開口２Ａから深く空間４側へ入った位置（後部空間４Ｂに深く入った位置）であり、ＬＥＤ基板５よりも内部空間４内へ深く入った位置（本体２の上面に近い位置）を  維持する。
【００２９】
制御部１４が透光性カバー３を通して外部から見えないようにするために、制御部１４を下側から全体的に覆う目隠しカバー１８が、本体２から一体に突出する４本の取り付けボス１９にネジ２０にて取り付けられている。目隠しカバー１８は、黒色等の着色を施した合成樹脂板か金属板で構成する。
【００３０】
ＬＥＤ照明器具１は、取り付け部１０を後部１Ａとしてそこから前部１Ｂへ長く延びる形態をなし、ＬＥＤ素子７の発光によって、配光ユニット８と透光性カバー３を通して道路等の路面を照明する。
このため、本体２と透光性カバー３は、後部１Ａから前部１Ｂへ長く延びる形態をなし、本体２内に形成される内部空間４も前後方向に長く、前部空間４Ａと後部空間４Ｂが連通状態に形成される。そして、ＬＥＤ基板５及び前部空間４Ａも前後方向に長い形態であり、ＬＥＤ基板５は前後方向に長い矩形状の平板形状である。
【００３１】
図５及び図１０に示すように、ＬＥＤ照明器具１は、取り付け部１０をポールや電柱等の支柱ＰＬに取付けた状態で、水平ラインに対して下面開口２Ａのラインが、後部１Ａより前部１Ｂが角度αだけ若干高くなる傾斜状態を保つ。このため、本体２内の内部空間４の空気は、後部空間４Ｂから前部空間４Ａへ向けた流れが生じ、後部空間４Ｂへ帰還する対流が生じ易くするために、前後方向に延びる熱伝導リブ１１相互間がこの空気の対流通路となるように、熱伝導リブ１１相互間の通路の前端部と後端部が解放している。
【００３２】
ＬＥＤ照明器具１は、周囲の照度を検知して日暮れ時から夜明けまでの夜間にＬＥＤ素子７が点灯するように制御部１４に電気的に接続された照度センサＳＳを備える。照度センサＳＳは、制御基板１５と電気的に接続されるセンサ基板１５Ｈに取り付けた光を透過しないホルダ２１内に保持されており、照度センサＳＳがＬＥＤ照明器具１の後方の周囲の照度を検知するように、ホルダ２１が本体２の後壁２Ｂに形成した採光窓（採光孔ともいう）２Ｈに保持されている。ホルダ２１は、照度センサＳＳへ周囲の光が侵入するように後方に開口しており、この開口と採光窓２Ｈを防水状態に塞ぐように透光性のカバー２２が、採光窓２Ｈに挿入保持されている。このため、透光性のカバー２２とホルダ２１が結合されて、ホルダ２１が採光窓２Ｈに保持される関係である。
【００３３】
ＬＥＤ照明器具１へ外部電源から電力供給を行うために、ＬＥＤ照明器具１へ供給される外部電源ライン２３は、本体２の後壁２Ｂに形成した貫通孔２４に挿入される絶縁ゴム製のブッシング２５を貫通し、その先端に取り付けた電源コネクタ２６が制御部１４の電源部に電気的に接続される。
【００３４】
ＬＥＤ素子７は前後方向に長い矩形状のＬＥＤ基板５の下側面に、前後方向に間隔を存して複数列状態に配置され、熱伝導リブ１１は、ＬＥＤ素子７の各列の裏側（上面側）に対向する位置に形成する。実施例の場合は、図１に示すように、ＬＥＤ素子７はＬＥＤ基板６に前後方向に間隔を存して２列状態に配置され、図３に示すように、熱伝導リブ１１は、２列配置のＬＥＤ素子７に対向する位置の裏側（上面側）に形成している。ＬＥＤ基板５の下面の後端部に、制御部１４のコネクタ１４Ｃと電気的に接続するためにコネクタ９５が配置されている。
【００３５】
本発明の照明器具１は、図５に示すように、電柱等の支柱ＰＬに取り付けバンド３０によって取り付ける方式と、図１０に示すように、支柱ＰＬに代わり先端部が横へ延びる円筒状または円柱状のポールＰＰの先端部に取り付ける方式のいずれにも適用可能な取り付け部１０を本体２の後部に備えるものである。
【００３６】
取り付け部１０は、電柱等の支柱ＰＬに取り付けバンド３０によって取り付ける第１取り付け部１０１と、支柱ＰＬに代わり先端部が横へ延びる円筒状または円柱状のポールＰＰの先端部が挿入される第２取り付け部１０２を備えており、第１取り付け部１０１と第２取り付け部１０２は本体２と一体に形成される。
【００３７】
第２取り付け部１０２は、ポールＰＰの斜め上方に向く先端部が挿入されるように、本体２の後壁２Ｂに連続して後方へ延びる円筒状をなし、その円筒状の前面は本体２の後壁２Ｂで塞がれ、その円筒状の後面は解放してポールＰＰの先端部ＰＰ１が挿入される挿入開口１０２Ｋを有する形態である。また、第２取り付け部１０２は、円筒状の後端面１０２Ｒは、支柱ＰＬの柱面（周面）が接触しないような逃げ部となる曲面形状をなす。このため、円筒状の後端面１０２Ｒの曲面は、好ましくは、支柱ＰＬの柱面（周面）の曲面と同等または若干小さな半径で描かれる曲面形状である。
【００３８】
第１取り付け部１０１は、第２取り付け部１０２と一体化する状態で、第２取り付け部１０２の左右両側に並行状態に配置された縦方向の板状の左右取り付け板部１０１Ｂで構成される。左右取り付け板部１０１Ｂの後端面１０１Ｒは、支柱ＰＬの柱面（周面）に縦方向に沿う直線状をなす。左右取り付け板部１０１Ｂと第２取り付け部１０２には、取り付けバンド３０が挿通され係止する縦方向に長い取り付け孔３１を有する。
【００３９】
ＬＥＤ照明器具１へ外部電源から電力供給を行うために、ＬＥＤ照明器具１へ供給される外部電源ライン２３は、円筒状の第２取り付け部１０２の前面となる本体２の後壁２Ｂに形成した貫通孔２４に挿入される絶縁ゴム製のブッシング２５を貫通し、その先端に取り付けた電源コネクタ２６が制御部１４の電源部に電気的に接続される。このように外部電源ライン２３を円筒状の第２取り付け部１０２内を通る配線部とすることにより、電源ラインの配線保護ができる。なお、第２取り付け部１０２の円筒状へ入る外部電源ライン２３が損傷しないために、円筒状の第２取り付け部１０２の後端部の上下壁に、外部電源ライン２３が通る配線相通部３５を形成している。配線相通部３５は、円筒状の第２取り付け部１０２の円筒状の上壁及び下壁に形成する切り欠き、または孔形態である。外部電源ライン２３は、第２取り付け部１０２の後端部の下壁に形成した配線相通部３５を通って、支柱ＰＬの上部または下部に配線した商用電源ラインの部分へ接続される。
【００４０】
第１取り付け部１０１により取り付けバンド３０で支柱ＰＬにＬＥＤ照明器具１を取り付ける状態は図５乃至図７に示す。この取り付け手順は種々あるがその一つを示せば、略垂直に設置された支柱ＰＬに対して、取り付けバンド３０を取り付け孔３１に通したＬＥＤ照明器具１を準備し、第１取り付け部１０１の左右取り付け板部１０１Ｂの後端面１０１Ｒが支柱ＰＬの周面に縦方向に当接する状態において、支柱ＰＬの周面に取り付けバンド３０を略水平状態に巻き、その状態で取り付けバンド３０を締め付けることにより、支柱ＰＬへＬＥＤ照明器具１を取り付けることができる。
この取り付け状態において、第２取り付け部１０２の円筒状の後端面１０２Ｒが支柱ＰＬの柱面（周面）の曲面に沿うため、後端面１０２Ｒが支柱ＰＬに当接しても、この取り付け状態が安定する。
外部電源ライン２３は、第２取り付け部１０２の後端部の下壁に形成した配線相通部３５を通って、支柱ＰＬの上部または下部に配線した商用電源ラインの部分へ接続される。
【００４１】
このように第１取り付け部１０１により支柱ＰＬにＬＥＤ照明器具１を取り付けた状態は、図５に示すように、ＬＥＤ照明器具１は、水平ラインに対して下面開口２Ａのラインが、後部１Ａより前部１Ｂが角度αだけ若干高くなる傾斜状態を保つ。これによって、配光部８２のレンズ効果によって、ＬＥＤ照明器具１の前後方向軸に対して左右方向に長い配光が形成されるため、左右方向に長い道路面を照射することができる。
【００４２】
なお、支柱ＰＬ等の支持体の側面に取り付ける円筒状または円柱状のアームの先端部に取り付ける方式も、本発明の範囲であり、このアームは、ポールＰＰと同様に横へ斜め上方に延びる先端部を形成し、この先端部に取り付ける方式であるため、このアーム方式についてはポールＰＰの先端部に取り付ける方式と同様であり、説明を援用することとし説明を省略する。
【００４３】
第２取り付け部１０２によりポールＰＰにＬＥＤ照明器具１を取り付ける状態は図８乃至図１３に示す。
このポールＰＰは、通常は略垂直に設置された状態であり、図１０に示すように、ポールＰＰの先端部ＰＰ１が斜め上方に向く状態である。
外部電源ライン２３は、ポールＰＰにＬＥＤ照明器具１を取り付ける前に、中空のポールＰＰ内を通ってＬＥＤ照明器具１に余裕を有する状態で接続しておく。図８に示すように、この状態で、第２取り付け部１０２の挿入開口１０２Ｋに臨ませ、円筒状の第２取り付け部１０２内にポールＰＰの先端部ＰＰ１が挿入される状態とする。この状態で、ポールＰＰの先端部ＰＰ１に対してＬＥＤ照明器具１を回動させて所定の向きに調整し、調整後に第２取り付け部１０２の円筒状の下壁及び側壁に形成した取り付け孔３６に取り付けネジ３７を螺合することにより、取り付けネジ３７が第２取り付け部１０２内のポールＰＰの先端部ＰＰ１を強圧する。これによって、図９乃至図１３に示すように、ポールＰＰに対してＬＥＤ照明器具１が取り付けられる。
この取り付けによって、外部電源ライン２３は、ポールＰＰと第２取り付け部１０２内を経てＬＥＤ照明器具１内に配線されるため、外部から損傷を受ける虞はない。
【００４４】
このように第２取り付け部１０２によりＬＥＤ照明器具１を取り付けた状態は、図１０に示すようにＬＥＤ照明器具１は、水平ラインに対して下面開口２Ａのラインが、後部１Ａより前部１Ｂが角度αだけ若干高くなる傾斜状態を保つ。これによって、配光部８２のレンズ効果によって、ＬＥＤ照明器具１の前後方向軸に対して左右方向に長い配光が形成されるため、左右方向に長い道路面を照射することができる。
【００４５】
採光窓２Ｈは、取り付け部１０の外側、即ち、左右取り付け板部１０１Ｂの外側位置で本体２の後壁２Ｂに形成されているため、上記のように取り付け部１０による照明器具１の取り付けにおいて、照度センサＳＳがＬＥＤ照明器具１の後方の周囲の照度を検知でき、日没による照度低下を検知し制御部１４の動作に基づきＬＥＤ素子７を発光させ、日の出による照度上昇を検知し制御部１４の動作に基づきＬＥＤ素子７を消灯させるように動作する。
【００４６】
上記のように、支柱ＰＬまたはポールＰＰに対する照明器具１の取り付け角度は、第１取り付け部１０１による取り付け角度αと、第２取り付け部１０２による取り付け角度αが同等である。このため、ＬＥＤ照明器具１により、道路の路面等に対して所定の配光による照明を達成できることとなる。
【００４７】
図５及び図１０に示すように、ＬＥＤ照明器具１は、水平ラインに対して開口部２Ａのラインが、後部１Ａより前部１Ｂが角度αだけ若干高くなる傾斜状態を保つ。この状態で、透光性カバー３の下面は前部から後部に向けて次第に下方となる傾斜をなしており、後部から急峻に本体２に向けた立ち上がり部３Ｇを形成する形態をなし、透光性カバー３の最低部には、排水孔５１とその周囲を囲む突壁４０を備える。
【００４８】
本発明は、発明の範囲内における種々の変更が可能であり、ＬＥＤ照明器具１の形態も上記に限定されることなく、種々の形態のＬＥＤ照明器具１に適用可能である。
【符号の説明】
【００４９】
１          ＬＥＤ照明器具
２          本体
２Ａ        本体の下面開口
３          透光性カバー
４          内部空間
５          ＬＥＤ基板
６          発光部
７          ＬＥＤ素子
８          配光ユニット
１０        取り付け部
２３        外部電源ライン
３０        取り付けバンド
３１        取り付け孔
３５        配線相通部
３６        取り付け孔
３７        取り付けネジ
１０１      第１取り付け部
１０２      第２取り付け部
１０２Ｒ    第２取り付け部の後端面
ＰＬ        支柱
ＰＰ        ポール
【図１】
0006739835.tif 000002
【図２】
0006739835.tif 000003
【図３】
0006739835.tif 000004
【図４】
0006739835.tif 000005
【図５】
0006739835.tif 000006
【図６】
0006739835.tif 000007
【図７】
0006739835.tif 000008
【図８】
0006739835.tif 000009
【図９】
0006739835.tif 000010
【図１０】
0006739835.tif 000011
【図１１】
0006739835.tif 000012
【図１２】
0006739835.tif 000013
【図１３】
0006739835.tif 000014